(57)【特許請求の範囲】
【請求項１】
少なくとも一つの第１センサと少なくとも一つの第１認可無線ラン機器を含む第１グループ、
少なくとも一つの第２センサと少なくとも一つの第２認可無線ラン機器を含む第２グループ、そして
前記少なくとも一つの第１センサと前記少なくとも一つの第２センサを管理する管理サーバーを含み、
前記第１センサは非認可無線ラン機器からのイベント発生を探知し、前記第１グループ内の残り第１センサ及び前記少なくとも一つの第２センサに前記イベント発生に対する第１ブロードキャスト信号を伝送し、
前記第１センサは、
前記第１ブロードキャスト信号を伝送し、前記非認可無線ラン機器から発生したイベントに対する第２ブロードキャスト信号を前記残り第１センサ及び前記少なくとも一つの第２センサのうちの少なくとも一つから受信する送受信部、そして
前記第１ブロードキャスト信号及び前記第２ブロードキャスト信号を比較して前記イベントに対する担当センサを決定する担当センサ決定部を含む無線侵入防止システム。
【請求項２】
前記第１センサは、前記非認可無線ラン機器から受信した信号に含まれているＭＡＣアドレスを用いて前記イベント発生を探知する請求項１に記載の無線侵入防止システム。
【請求項３】
前記第１ブロードキャスト信号または前記第２ブロードキャスト信号は、前記第１センサまたは前記第２センサの識別情報、前記非認可無線ラン機器から受信した信号の強度、イベント発生を探知した時刻、前記非認可無線ラン機器のＭＡＣアドレスのうちの少なくとも一つを含む請求項１に記載の無線侵入防止システム。
【請求項４】
前記担当センサ決定部は、前記信号の強度、グループ内で同一のイベントを探知したセンサの数及び前記探知した時刻のうちの少なくとも一つに基づいて担当センサを決定する請求項３に記載の無線侵入防止システム。
【請求項５】
前記第１センサは、前記非認可無線ラン機器から受信した信号の強度またはグループ内で同一のイベントを探知したセンサの数のうちの少なくとも一つに基づいてイベントが発生したグループを決定するグループ決定部をさらに含む請求項３に記載の無線侵入防止システム。
【請求項６】
前記第１センサは、前記少なくとも一つの第１認可無線ラン機器から受信した信号の強度に基づいて前記第１センサと前記非認可無線ラン機器間の距離を推定する距離推定部をさらに含む請求項１に記載の無線侵入防止システム。
【請求項７】
前記距離推定部は、前記少なくとも一つの第１認可無線ラン機器から受信した信号の強度による少なくとも一つの距離テーブルを保存し、前記非認可無線ラン機器から受信した信号の強度及び前記距離テーブルを用いて前記第１センサと前記非認可無線ラン機器間の距離を推定する請求項６に記載の無線侵入防止システム。
【請求項８】
前記管理サーバーは、前記担当センサが作動を止めたことを感知した場合、残りセンサに担当センサの変更を指示する請求項１に記載の無線侵入防止システム。
【請求項９】
前記担当センサが作動を止めた場合、前記第１センサは、前記非認可無線ラン機器から受信した信号の強度またはイベント発生を探知した時刻によって新たな担当センサを決定する請求項１に記載の無線侵入防止システム。
【請求項１０】
非認可無線ラン機器からのイベント発生を探知するイベント探知部、
前記イベント発生に対する第１ブロードキャスト信号を他のセンサに伝送し、前記他のセンサから前記イベント発生に対する第２ブロードキャスト信号を受信する送受信部、
前記第１ブロードキャスト信号及び前記第２ブロードキャスト信号を比較してイベントを遮断する担当センサを決定する担当センサ決定部、そして
前記イベントを遮断するイベント遮断部を含むセンサ。
【請求項１１】
前記第１ブロードキャスト信号または前記第２ブロードキャスト信号は、前記第１ブロードキャスト信号または前記第２ブロードキャスト信号を伝送するセンサの識別情報、前記非認可無線ラン機器から受信した信号の強度、イベント発生を探知した時刻、及び前記非認可無線ラン機器のＭＡＣアドレスのうちの少なくとも一つを含む請求項１０に記載のセンサ。
【請求項１２】
前記センサは、空間上に分離された所定のグループに属し、
前記担当センサ決定部は、前記信号の強度、グループ内で同一のイベントを探知したセンサの数及び前記探知した時刻のうちの少なくとも一つに基づいて担当センサを決定する請求項１１に記載のセンサ。
【請求項１３】
前記センサは、空間上に分離された所定のグループに属し、
前記信号の強度またはグループ内で同一のイベントを探知したセンサの数のうちの少なくとも一つに基づいてイベントが発生したグループを決定するグループ決定部をさらに含む請求項１１に記載のセンサ。
【請求項１４】
少なくとも一つの認可無線ラン機器から受信した信号の強度及び非認可無線ラン機器から受信した信号の強度に基づいて前記センサと前記非認可無線ラン機器間の距離を推定する距離推定部をさらに含む請求項１０に記載のセンサ。
【発明の詳細な説明】
【技術分野】
【０００１】
本発明はクラウドセンサネットワークを用いた知能形無線侵入防止システム及びセンサに関するものである。
【背景技術】
【０００２】
無線ネットワークは有線ネットワークに比べて保安にぜい弱である。したがって、非認可無線ラン機器から発生する保安威嚇イベントを探知し、これを遮断する無線侵入防止技術が必要である。
【０００３】
一般的な無線侵入防止システムによれば、センサがイベントを探知し、これを管理サーバーに伝送する。複数のセンサが同一のイベントを探知した場合にも、各センサは同一のイベントを管理サーバーにそれぞれ伝送する。管理サーバーは重複したイベントを受信するようになって負荷が発生することがあり、不必要なトラフィックが存在することがある。また、不法接続遮断信号もこれを探知した複数のセンサが重複的に発生させて、不必要な無線資源を消耗するようになる。
【０００４】
これにより、センサと管理サーバー間のトラフィックと遮断信号を最少化する必要がある。そして、イベントが発生した位置を効率的に追跡する必要がある。
【発明の概要】
【発明が解決しようとする課題】
【０００５】
本発明が解決しようとする技術的課題は、クラウドセンサネットワークを用いた知能形無線侵入防止システム及びセンサを提供することである。
【課題を解決するための手段】
【０００６】
本発明の一実施形態による無線侵入防止システムは、少なくとも一つの第１センサと少なくとも一つの第１認可無線ラン機器を含む第１グループ、少なくとも一つの第２センサと少なくとも一つの第２認可無線ラン機器を含む第２グループ、そして前記少なくとも一つの第１センサと前記少なくとも一つの第２センサを管理する管理サーバーを含み、前記第１センサは非認可無線ラン機器からのイベント発生を探知し、前記第１グループ内の残り第１センサ及び前記少なくとも一つの第２センサに前記イベント発生に対する第１ブロードキャスト信号を伝送する。
【０００７】
前記第１センサは、前記非認可無線ラン機器から受信した信号に含まれているＭＡＣアドレスを用いて前記イベント発生を探知することができる。
【０００８】
前記第１センサは、前記第１ブロードキャスト信号を伝送し、前記非認可無線ラン機器から発生したイベントに対する第２ブロードキャスト信号を前記残り第１センサ及び前記少なくとも一つの第２センサのうちの少なくとも一つから受信する送受信部、そして前記第１ブロードキャスト信号及び前記第２ブロードキャスト信号を比較して前記イベントに対する担当センサを決定する担当センサ決定部を含むことができる。
【０００９】
前記第１ブロードキャスト信号または前記第２ブロードキャスト信号は、前記第１センサまたは前記第２センサの識別情報、前記非認可無線ラン機器から受信した信号の強度、イベント発生を探知した時刻、前記非認可無線ラン機器のＭＡＣアドレス及びイベント種類のうちの少なくとも一つを含むことができる。
【００１０】
前記担当センサ決定部は、前記信号の強度、グループ内で同一のイベントを探知したセンサの数及び前記探知した時刻のうちの少なくとも一つに基づいて担当センサを決定することができる。
【００１１】
前記第１センサは、前記非認可無線ラン機器から受信した信号の強度またはグループ内で同一のイベントを探知したセンサの数のうちの少なくとも一つに基づいてイベントが発生したグループを決定するグループ決定部をさらに含むことができる。
【００１２】
前記第１センサは、前記少なくとも一つの第１認可無線ラン機器から受信した信号の強度に基づいて前記第１センサと前記非認可無線ラン機器間の距離を推定する距離推定部をさらに含むことができる。
【００１３】
前記距離推定部は、前記少なくとも一つの第１認可無線ラン機器から受信した信号の強度による少なくとも一つの距離テーブルを保存し、前記非認可無線ラン機器から受信した信号の強度及び前記距離テーブルを用いて前記第１センサと前記非認可無線ラン機器間の距離を推定することができる。
【００１４】
前記第１センサは、前記管理サーバーとの通信が断絶された場合にイベントの発生を自己探知して遮断する自己遮断部をさらに含むことができる。
【００１５】
前記管理サーバーは、前記担当センサが作動を止めたことを感知した場合、残りセンサに担当センサの変更を指示することができる。
【００１６】
前記担当センサが作動を止めた場合、前記第１センサは、前記非認可無線ラン機器から受信した信号の強度またはイベント発生を探知した時刻によって新たな担当センサを決定することができる。
【００１７】
本発明の一実施形態によるセンサは、非認可無線ラン機器からのイベント発生を探知するイベント探知部、前記イベント発生に対する第１ブロードキャスト信号を他のセンサに伝送し、前記他のセンサから前記イベント発生に対する第２ブロードキャスト信号を受信する送受信部、前記第１ブロードキャスト信号及び前記第２ブロードキャスト信号を比較してイベントを遮断する担当センサを決定する担当センサ決定部、そして前記イベントを遮断するイベント遮断部を含む。
【００１８】
前記第１ブロードキャスト信号または前記第２ブロードキャスト信号は、前記第１ブロードキャスト信号または前記第２ブロードキャスト信号を伝送するセンサの識別情報、前記非認可無線ラン機器から受信した信号の強度、イベント発生を探知した時刻、前記非認可無線ラン機器のＭＡＣアドレス及びイベント種類のうちの少なくとも一つを含むことができる。
【００１９】
前記センサは、空間上に分離された所定のグループに属し、前記担当センサ決定部は、前記信号の強度、グループ内で同一のイベントを探知したセンサの数及び前記探知した時刻のうちの少なくとも一つに基づいて担当センサを決定することができる。
【００２０】
前記センサは、空間上に分離された所定のグループに属し、前記信号の強度またはグループ内で同一のイベントを探知したセンサの数のうちの少なくとも一つに基づいてイベントが発生したグループを決定するグループ決定部をさらに含むことができる。
【００２１】
少なくとも一つの認可無線ラン機器から受信した信号の強度及び非認可無線ラン機器から受信した信号の強度に基づいて前記センサと前記非認可無線ラン機器間の距離を推定する距離推定部をさらに含むことができる。
【発明の効果】
【００２２】
本発明の一実施形態によれば、センサと管理サーバー間のトラフィックを減らすことができる。そして、イベント発生後、遮断までの遅延時間を最少化することができる。そして、管理サーバーの負荷を減らすことができ、管理サーバーが管理するセンサの数を最大化することができる。また、イベントが発生した空間または位置を効率的に追跡することができる。
【図面の簡単な説明】
【００２３】
【図１】本発明の一実施形態による無線侵入防止システムを示す図である。
【図２】本発明の一実施形態によるセンサ１０のブロック図を示す図である。
【図３】本発明の一実施形態によるセンサの担当センサ決定方法を示すフローチャートである。
【図４】本発明の一実施形態による非認可ＡＰからのイベントが発生したグループを決定する方法を示すフローチャートである。
【図５】本発明の一実施形態によるセンサ変更方法を示すフローチャートである。
【図６】本発明の一実施形態による距離推定方法を示すフローチャートである。
【発明を実施するための形態】
【００２４】
以下、添付した図面を参照して本発明の実施形態について本発明の属する技術分野における通常の知識を有する者が容易に実施できるように詳しく説明する。しかし、本発明は様々な形態に実現することができ、ここで説明する実施形態に限定されない。そして、図面で本発明を明確に説明するために説明上不必要な部分は省略し、明細書全体にわたって類似の部分については類似の図面符号を付けた。
【００２５】
明細書全体で、ある部分がある構成要素を“含む”という時、これは特に反対になる記載がない限り、他の構成要素を除くのではなく他の構成要素をさらに含むことができるのを意味する。
【００２６】
また、明細書に記載された“…部”の用語は少なくとも一つの機能や動作を処理する単位を意味し、これはハードウェアやソフトウェアまたはハードウェア及びソフトウェアの結合で実現できる。
【００２７】
本明細書で、端末（ｔｅｒｍｉｎａｌ）は、移動局（Ｍｏｂｉｌｅ  Ｓｔａｔｉｏｎ、ＭＳ）、移動端末（Ｍｏｂｉｌｅ  Ｔｅｒｍｉｎａｌ、ＭＴ）、加入者局（Ｓｕｂｓｃｒｉｂｅｒ  Ｓｔａｔｉｏｎ、ＳＳ）、携帯加入者局（Ｐｏｒｔａｂｌｅ  Ｓｕｂｓｃｒｉｂｅｒ  Ｓｔａｔｉｏｎ、ＰＳＳ）、使用者装置（Ｕｓｅｒ  Ｅｑｕｉｐｍｅｎｔ、ＵＥ）、接近端末（Ａｃｃｅｓｓ  Ｔｅｒｍｉｎａｌ、ＡＴ）などを指して称することもでき、端末、移動局、移動端末、加入者局、携帯加入者局、使用者装置、接近端末などの全部または一部の機能を含むこともできる。
【００２８】
本明細書で、無線ラン機器は、無線ネットワークを構成し、他の無線ラン機器と無線ネットワークを通じてデータを交換する。無線ラン機器は、例えば、アクセスポイント（Ａｃｃｅｓｓ  Ｐｏｉｎｔ、ＡＰ）、有無線ＩＰ（Ｉｎｔｅｒｎｅｔ  Ｐｒｏｔｏｃｏｌ）共有器、無線ランカード、無線プリンタ、アンテナ、無線ネットワークカメラなどがある。
【００２９】
図１は本発明の一実施形態による無線侵入防止システムを示す図である。
【００３０】
図１を参照すれば、無線侵入防止システム１０００は、少なくとも一つのセンサ１０、１１、１２、１３及び少なくとも一つの認可無線ラン機器（以下、認可ＡＰと混用することができる）２０、２１、２２、２３を含むグループ１００、少なくとも一つのセンサ３０、３１、３２、３３及び少なくとも一つの認可ＡＰ４０、４１、４２、４３を含むグループ２００及び管理サーバー３００を含む。センサ１０、１１、１２、１３、３０、３１、３２、３３は非認可無線ラン機器からのイベントを探知して遮断する。管理サーバー３００はグループ１００及びグループ２００に含まれるセンサを管理する。
【００３１】
グループ１００及びグループ２００は、センサ及び認可ＡＰが位置する空間によって分類される。即ち、同一の空間に位置するセンサ及び認可ＡＰを一つのグループに分類することができる。例えば、管理サーバー３００が建物内の複数階（ｆｌｏｏｒ）のセンサを管理する場合、階別にセンサ及び認可ＡＰのグループを分離することができる。即ち、１階に位置するセンサ及び認可ＡＰを一つのグループとし、２階に位置するセンサ及び認可ＡＰを他のグループとすることができる。
【００３２】
本発明の一実施形態によれば、センサが非認可無線ラン機器（以下、非認可ＡＰと混用することができる）から発生したイベント（ｅｖｅｎｔ）を探知した場合、センサは他のセンサにイベント情報をブロードキャスト（ｂｒｏａｄｃａｓｔ）する。ここで、非認可ＡＰは不法侵入者、不法使用者、攻撃者などを意味することができる。各センサは自分が探知したイベントと他のセンサから受信したイベント情報を用いて特定イベントに対する担当センサを決定し、担当センサは該当イベントを遮断する。
【００３３】
以下、本発明の一実施形態による無線侵入防止システム１０００について具体的に説明する。
【００３４】
図２は本発明の一実施形態によるセンサ１０のブロック図を示す図である。
【００３５】
図２を参照すれば、センサ１０は、送受信部４００、イベント探知部４１０、イベント遮断部４２０、担当センサ決定部４３０、グループ決定部４４０、距離推定部４６０、センサ変更部４５０及び自己遮断部４７０を含む。
【００３６】
送受信部４００は、非認可ＡＰから発生したイベントを探知した場合、イベントに対するブロードキャスト信号を他のセンサに伝送する。ここで、他のセンサは、自分が属したグループ１００内の他のセンサ１１、１２、１３だけでなく、他のグループ２００内のセンサ３０、３１、３２、３３も含むことができる。そして、送受信部４００は、非認可ＡＰから発生したイベントに対するブロードキャスト信号を他のセンサから受信する。
【００３７】
イベント探知部４１０は非認可ＡＰから発生したイベントを探知する。イベント探知部４１０は、センサ１０が受信した信号に含まれているＭＡＣ（Ｍｅｄｉｕｍ  Ａｃｃｅｓｓ  Ｃｏｎｔｒｏｌ）アドレスを用いてイベントを探知することができる。例えば、センサ１０が受信した信号に含まれているＭＡＣアドレスが認可ＡＰのＭＡＣアドレスでない場合、非認可ＡＰから発生したイベントであると推定することができる。
【００３８】
イベント遮断部４２０は、非認可ＡＰから発生したイベントを遮断する。このために、センサ１０はイベント別に担当センサを決定することができる。
【００３９】
担当センサ決定部４３０は、特定イベントを探知するか、遮断する担当センサを決定する（Ａｃｔｉｖｅ  Ｄｅｃｉｓｉｏｎ）。担当センサ決定部４３０は、非認可ＡＰから受信した信号の強度、グループ内で同一のイベントを探知したセンサの数及びイベントを探知した時刻のうちの少なくとも一つを用いて担当センサを決定することができる。
【００４０】
グループ決定部４４０は、非認可ＡＰからのイベントがどのグループに該当する位置で発生したかを決定する（Ｇｒｏｕｐ  Ｄｅｃｉｓｉｏｎ）。グループ決定部４４０は、非認可ＡＰから受信した信号の強度またはグループ内で同一のイベントを探知したセンサの数のうちの少なくとも一つに基づいてイベントが発生したグループを決定することができる。
【００４１】
センサ変更部４５０は、特定イベントを担当するセンサが作動を止めた場合、該当イベントを担当するセンサを変更する（Ｃｈａｎｇｅ  ｏｖｅｒ）。管理サーバー３００からセンサ変更指示を受信したり、担当センサから周期的に受信しなければならないセンサ存在確認信号が一定時間内に到着しない場合、自己的な判断によって、センサ変更部４５０はセンサ変更のための手続を行うことができる。
【００４２】
距離推定部４６０は、センサと非認可ＡＰ間の距離を推定する（Ａｔｔｅｎｕａｔｉｏｎ  Ｔｏ  Ｄｉｓｔａｎｃｅ）。このために、距離推定部４６０は認可ＡＰから受信する信号の強度による距離情報を保存する。そして、距離推定部４６０は非認可ＡＰから受信する信号の強度からセンサと非認可ＡＰ間の距離を推定することができる。
【００４３】
自己遮断部４７０は、管理サーバー４００との通信が途絶えた場合、非認可ＡＰからのイベントを探知し、自己遮断する（Ｓｔａｎｄ  Ａｌｏｎｅ  Ｏｐｅｒａｔｉｏｎ）。
【００４４】
図３は本発明の一実施形態によるセンサの担当センサ決定方法を示すフローチャートである。説明の便宜のために、互いに異なるグループに属するセンサ１０とセンサ３０を例として挙げて説明しているが、同一のグループに属するセンサ間にも同一に適用することができる。
【００４５】
図３を参照すれば、センサ１０とセンサ３０が非認可ＡＰから発生したイベントを探知した場合（Ｓ３００、Ｓ３２０）、センサ１０とセンサ３０は他のセンサにイベント発生に対するブロードキャスト信号を伝送する（Ｓ３１０、Ｓ３３０）。即ち、センサ１０は、自分が属するグループ１００の他のセンサ１１、１２、１３だけでなく、他のグループ２００のセンサ３０、３１、３２、３３にイベント発生を知らせるブロードキャスト信号を伝送する。そして、センサ３０は、自分が属するグループ２００の他のセンサ３１、３２、３３だけでなく、他のグループ１００のセンサ１０、１１、１２、１３にイベント発生を知らせるブロードキャスト信号を伝送する。表１はブロードキャスト信号のパケットフォーマットの一例である。
【００４６】
【表１】
0005901840.tif 000002
【００４７】
このように、ブロードキャスト信号はイベントを探知した時刻（探知時刻）、パケットタイプ、イベント種類（イベントＩＤ）、センサの識別情報（センサＩＤ）、非認可ＡＰのＭＡＣアドレス（ＡＰ  ＭＡＣ）、ステーションＭＡＣ、フレームタイプ、サブタイプ、ソースＭＡＣ及び非認可ＡＰから受信した信号の強度（信号強さ）を含むことができる。
【００４８】
センサ１０とセンサ３０は伝送したブロードキャスト信号及び受信したブロードキャスト信号を比較してイベントに対する担当センサを決定する（Ｓ３４０、Ｓ３５０）。このために、センサ１０またはセンサ３０は伝送したブロードキャスト信号に含まれるイベント種類及び受信したブロードキャスト信号に含まれるイベント種類を比較し、イベント種類が同一な場合、受信したブロードキャスト信号に含まれる情報を臨時保存することができる。所定期間経過後、センサ１０またはセンサ３０はブロードキャスト信号に含まれる非認可ＡＰから受信した信号の強度、グループ内で同一のイベントを探知したセンサの数及びイベントを探知した時刻のうちの少なくとも一つを用いて担当センサを決定することができる。例えば、センサ１０またはセンサ３０は非認可ＡＰから受信した信号の強度が最も強いセンサを担当センサと決定することができる。非認可ＡＰから受信した信号の強度が同一な場合、該当イベントを探知したセンサの数が最も多いグループ内のセンサを担当センサと決定することができる。非認可ＡＰから受信した信号の強度とグループが同一な場合、イベントを探知した時刻が最も早いセンサを担当センサと決定することができる。他の例として、含まれる非認可ＡＰから受信した信号の強度、グループ内で同一のイベントを探知したセンサの数及びイベントを探知した時刻に加重値を適用して担当センサを決定することもできる。
【００４９】
センサ１０が担当センサと決定された場合、センサ１０は管理サーバー３００に自分が該当イベントに対する担当センサであるのを報告し（Ｓ３６０）、イベント遮断手続を行う（Ｓ３７０）。
【００５０】
図示しないが、センサ１０がイベント遮断手続を行っている間に他のセンサから同一のイベントに対するブロードキャスト信号を受信した場合、センサ１０はブロードキャスト信号を伝送したセンサに自分が担当センサであるのを知らせることができる。これにより、同一のイベントを新しく探知したセンサが担当センサを決定する手続または管理サーバーに報告する手続を重複して行うのを防止することができる。
【００５１】
図示しないが、センサ３０がイベントを探知した場合、センサ３０はイベント探知を管理サーバー３００に報告することができる。但し、センサ３０がイベント発生に対するブロードキャスト信号を他のセンサ１０から受信した場合であれば、イベント探知を管理サーバー３００に報告しなくてもよい。このように、複数のセンサが同一のイベントを探知した場合にも、管理サーバー３００にイベント探知を報告する回数を最少化することによって管理サーバー３００とセンサ間のトラフィック浪費を防止することができる。
【００５２】
以下、非認可ＡＰからのイベントがどのグループに該当する位置で発生したかを決定する方法を説明する。図３のＳ３００乃至Ｓ３３０の過程が先行していることを前提とする。
【００５３】
図４は本発明の一実施形態による非認可ＡＰからのイベントが発生したグループを決定する方法を示すフローチャートである。
【００５４】
図４を参照すれば、センサ１０は伝送したブロードキャスト信号と受信したブロードキャスト信号内に含まれる非認可ＡＰから受信した信号の強度を整列する（Ｓ４００）。
【００５５】
信号の強度が最も強い一つのセンサが存在する場合（Ｓ４１０）、該当センサが属するグループをイベントが発生したグループと決定する（Ｓ４２０）。例えば、１階に位置するセンサのブロードキャスト信号に含まれている信号の強度が最も強い場合、該当イベントは１階で発生したものと決定することができる。信号の強度が最も強い一つのセンサが存在しない場合、即ち、信号の強度が最も強いセンサが二つ以上存在する場合、イベントを探知したセンサの数が最も多いグループ、信号の強度の平均が最も強いグループ及び信号の強度の総合計が最も強いグループのうちの一つをイベントが発生したグループと決定することができる（Ｓ４３０）。
【００５６】
以下、イベントが終了しない状況で担当センサが作動を止めた場合、センサを変更する方法を説明する。説明の便宜のためにグループ１００に属するセンサ１０が担当センサである場合を例として挙げて説明する。
【００５７】
図５は本発明の一実施形態によるセンサ変更方法を示すフローチャートである。
【００５８】
図５を参照すれば、管理サーバー３００は、特定イベントを担当していた担当センサ１０が作動を止めたことを感知する（Ｓ５００）。
【００５９】
管理サーバー３００は担当センサ１０が属するグループの他のセンサ１１、１２、１３にセンサ変更を指示し（Ｓ５１０）、センサ１１、１２、１３はセンサ変更手続を行う（Ｓ５２０）。例えば、センサ１１、１２、１３のうちに該当イベントを探知したセンサがある場合、新たな担当センサになり得る。センサ１１、１２、１３のうちに該当イベントを探知したセンサが二つ以上ある場合、非認可ＡＰから受信した信号の強度またはイベント探知時刻によって新たな担当センサを決定することができる。このために、センサ１１、１２、１３は該当イベントを探知したセンサが非認可ＡＰから受信した信号の強度を管理していなければならず、信号の強度によって新たな担当センサの優先順位を予め付けておくことができる。
【００６０】
一方、担当センサ１０が属するグループに該当イベントを担当するセンサがない場合、管理サーバー３００は該当イベントを終了し（Ｓ５３０）、他のグループ２００のセンサ３０、３１、３２、３３にイベント終了を知らせる（Ｓ５４０）。これにより、他のグループ２００のセンサ３０、３１、３２、３３は新たに担当センサ決定手続を行う（Ｓ５５０）。例えば、図３で説明したように、イベント探知、ブロードキャスト信号送信／受信、担当センサ決定の過程を行なうことができる。
【００６１】
以下、センサと非認可ＡＰ間の距離を推定する方法を説明する。
【００６２】
図６は本発明の一実施形態による距離推定方法を示すフローチャートである。
【００６３】
図６を参照すれば、センサ１０はグループ１００内の他のセンサ１１、１２、１３及びグループ内の認可ＡＰ２０、２１、２２、２３から信号を受信し（Ｓ６００、Ｓ６１０、Ｓ６２０）、受信した信号の強度による距離テーブルを作成する（Ｓ６３０）。段階Ｓ６００乃至段階Ｓ６３０の過程は数回反復して行われてもよい。距離が同一であってもグループ内の通信環境、時間、障害物などによって信号の強度は変わることがあるためである。したがって、センサ１０は多様な時間帯の距離テーブルを作成して保存することができる。
【００６４】
センサ１０が非認可ＡＰからイベント信号を受信した場合（Ｓ６４０）、センサ１０は非認可ＡＰの信号の強度及び予め保存された距離テーブルを用いて非認可ＡＰとの距離を推定する（Ｓ６５０）。多様な時間帯の距離テーブルが予め保存された場合、センサ１０は非認可ＡＰからイベント信号を受信した時間に該当する距離テーブルを用いて非認可ＡＰとの距離を推定することができる。
【００６５】
図示しないが、センサ１０は距離テーブル及び非認可ＡＰとの距離を管理サーバー３００に伝送することができる。
【００６６】
一方、センサは、管理サーバー３００との通信が断絶された場合、自己遮断機能を遂行することもできる。即ち、管理サーバー３００との通信が断絶された状況で新たなイベントを探知した場合、探知したイベントを保存し、必要な場合にイベント遮断を実行する。これと同時に、センサは周期的に管理サーバー３００との再接続を試み、管理サーバー３００との通信が復旧される場合、保存されたイベントを管理サーバー３００に報告する。
【００６７】
以上で説明した本発明の実施形態は装置及び方法を通じてのみ実現されるのではなく、本発明の実施形態の構成に対応する機能を実現するプログラムまたはそのプログラムが記録された記録媒体を通じて実現できる。
【００６８】
以上で本発明の実施形態について詳細に説明したが、本発明の権利範囲はこれに限定されるのではなく、次の請求範囲で定義している本発明の基本概念を用いた当業者の様々な変形及び改良形態も本発明の権利範囲に属する。
【符号の説明】
【００６９】
１０００      無線侵入防止システム
１０、１１、１２、１３      センサ
２０、２１、２２、２３      認可無線ラン機器
１００      センサ及び認可無線ラン機器を含むグループ
３０、３１、３２、３３      センサ
４０、４１、４２、４３      認可ＡＰ
２００      センサ及び認可ＡＰを含むグループ
３００      管理サーバー
４００      送受信部
４１０      イベント探知部
４２０      イベント遮断部
４３０      担当センサ決定部
４４０      グループ決定部
４５０      センサ変更部
４６０      距離推定部
４７０      自己遮断部
【図１】
0005901840.tif 000003
【図２】
0005901840.tif 000004
【図３】
0005901840.tif 000005
【図４】
0005901840.tif 000006
【図５】
0005901840.tif 000007
【図６】
0005901840.tif 000008